(57)【特許請求の範囲】
【請求項１】
少なくとも６個のチャンネルを含むオーディオ信号を再生可能な再生装置に搭載され、外部から入力されたデジタルオーディオ信号をアナログオーディオ信号に変換して出力するデジタルアナログ変換システムであって、
上記再生装置で、オーディオ信号が再生されるチャンネル及びチャンネル数のうち少なくとも一方を検知し、検知した結果に基づいて、入力されたデジタルオーディオ信号の供給先を指定するための供給制御信号を生成する供給制御信号生成手段と、
チャンネル毎に設けられ、供給されたデジタルオーディオ信号をアナログオーディオ信号に変換する、少なくとも６個のデジタルアナログ変換手段と、
上記供給制御信号生成手段によって検知された再生されるオーディオ信号のチャンネル数が上記デジタルアナログ変換手段の総数よりも少ない場合に、デジタルオーディオ信号の供給先であるオーディオ信号が再生されるチャンネルに設けられたデジタルアナログ変換手段と、上記各デジタルアナログ変換手段のうち、デジタルオーディオ信号の供給先ではないチャンネルに設けられた全てのデジタルアナログ変換手段の中から選択されたデジタルアナログ変換手段とに入力されたデジタルオーディオ信号を供給して、オーディオ信号の再生されるチャンネルに設けられたデジタルアナログ変換手段と、デジタルオーディオ信号の供給先ではないチャンネルに設けられた全てのデジタルアナログ変換手段の中から選択されたデジタルアナログ変換手段とを並列動作させる制御手段と
を備えるデジタルアナログ変換システム。
【請求項２】
上記各チャンネルは、
前右（ＦＲ；Ｆｒｏｎｔ  Ｒｉｇｈｔ）チャンネルと、前左（ＦＬ；Ｆｒｏｎｔ  Ｌｅｆｔ）チャンネルとを含み、
上記制御手段は、
上記供給制御信号生成手段によって検知された再生されるオーディオ信号のチャンネル数が上記デジタルアナログ変換手段の総数よりも少なく、かつ、２個以上のデジタルアナログ変換手段が余っている場合には、上記前右チャンネルのオーディオ信号と前左チャンネルのオーディオ信号とに対して、複数のデジタルアナログ変換手段を常に並列動作させる請求項１に記載のデジタルアナログ変換システム。
【請求項３】
上記各チャンネルは、
更に中央（Ｃ；Ｃｅｎｔｅｒ）チャンネルを含み、
上記制御手段は、
上記供給制御信号生成手段によって検知された再生されるオーディオ信号のチャンネル数が上記デジタルアナログ変換手段の総数よりも少なく、かつ、３個以上のデジタルアナログ変換手段が余っている場合には、上記前右チャンネルのオーディオ信号及び上記前左チャンネルのオーディオ信号に加えて、中央チャンネルのオーディオ信号に対しても、複数のデジタルアナログ変換手段を常に並列動作させる請求項２に記載のデジタルアナログ変換システム。
【請求項４】
上記再生装置に備えられる上記デジタルアナログ変換手段の数は、８つである請求項１乃至３の何れか１項に記載のデジタルアナログ変換システム。
【請求項５】
上記各デジタルアナログ変換手段は、１チップ上に集積されている請求項１記載のデジタルアナログ変換システム。
【請求項６】
同一のオーディオ信号が供給されたデジタルアナログ変換手段から供給されたオーディオ信号を、上記各デジタルアナログ変換手段から供給された全てのオーディオ信号の中から選択させるための出力制御信号を生成する出力制御手段と、
上記出力制御手段によって生成された出力制御信号に基づいて、同一のオーディオ信号が供給された複数のデジタルアナログ変換手段から供給されたオーディオ信号を、上記各デジタルアナログ変換手段から供給された全てのオーディオ信号の中から選択して合成して出力する信号合成出力手段を更に備え、
上記信号合成出力手段は、
オーディオ信号が再生されるチャンネルに設けられたデジタルアナログ変換手段と、デジタルオーディオ信号の供給先ではないチャンネルに設けられた全てのデジタルアナログ変換手段の中から選択されたデジタルアナログ変換手段とから供給された各オーディオ信号を加算する請求項１乃至５の何れか１項に記載のデジタルアナログ変換システム。
【請求項７】
同一のオーディオ信号が供給されたデジタルアナログ変換手段から供給されたオーディオ信号を、上記各デジタルアナログ変換手段から供給された全てのオーディオ信号の中から選択させるための出力制御信号を生成する出力制御手段と、
上記出力制御手段によって生成された出力制御信号に基づいて、同一のオーディオ信号が供給された複数のデジタルアナログ変換手段から供給されたオーディオ信号を、上記各デジタルアナログ変換手段から供給された全てのオーディオ信号の中から選択して合成して出力する信号合成出力手段を更に備え、
上記信号合成出力手段は、
上記供給制御信号生成手段によって検知された再生されるオーディオ信号のチャンネル数が偶数で、かつ、再生されるオーディオ信号のチャンネル数が上記デジタルアナログ変換手段の総数よりも少ない場合に、オーディオ信号の供給先であるオーディオ信号が再生されるチャンネルが設けられたデジタルアナログ変換手段と、デジタルオーディオ信号の供給先ではないチャンネルに設けられた全てのデジタルアナログ変換手段の中から選択されたデジタルアナログ変換手段とから供給された各オーディオ信号のうちの半数を反転して、反転していないオーディオ信号と反転したオーディオ信号との差をとる請求項１乃至５の何れか１項に記載のデジタルアナログ変換システム。
【請求項８】
上記供給制御信号生成手段は、
再生される記録媒体のフォーマットに応じて上記供給制御信号を生成し、
上記出力制御手段は、
再生される記録媒体のフォーマットに応じて、同一のオーディオ信号が供給されたデジタルアナログ変換手段から供給されたオーディオ信号を上記各デジタルアナログ変換手段から供給された全てのオーディオ信号の中から選択させるための出力制御信号を生成する請求項６又は７に記載のデジタルアナログ変換システム。
【請求項９】
再生する記録媒体を選択する入力セレクタを更に備え、
上記供給制御信号生成手段は、
上記入力セレクタの選択に応じて上記供給制御信号を生成し、
上記出力制御手段は、
上記入力セレクタの選択に応じて上記出力制御信号を生成する請求項６乃至８の何れか１項に記載のデジタルアナログ変換システム。
【請求項１０】
上記供給制御信号生成手段は、
最終的にオーディオ信号が放音されるスピーカの数に応じて上記供給制御信号を生成し、
上記出力制御手段は、
最終的にオーディオ信号が放音されるスピーカの数に応じて上記出力制御信号を生成する請求項６乃至８の何れか１項に記載のデジタルアナログ変換システム。
【請求項１１】
上記供給制御信号生成手段は、
上記再生装置に接続されているスピーカの数に応じて上記供給制御信号を生成し、
上記出力制御手段は、
上記再生装置に接続されているスピーカの数に応じて上記出力制御信号を生成する請求項６乃至８の何れか１項に記載のデジタルアナログ変換システム。
【発明の詳細な説明】
【０００１】
【発明の属する技術分野】
本発明は、複数のスピーカを備えたいわゆるマルチチャンネルＡＶシステムなどに搭載されるデジタルアナログ変換システムに関する。
【０００２】
【従来の技術】
近年、次世代ＣＤと呼ばれる新たな記録媒体が２つ提唱されている。１つは、デジタルバーサタイルディスク或いはデジタルビデオディスクオーディオ（ＤＶＤ−Ａ）であり、サンプリング周波数が９６ｋＨｚとされており、量子化ビット数が２４ビットとされているものである。もう１つは、スーパーオーディオＣＤ（ＳＡＣＤ）であり、サンプリング周波数が２．８２２４ＭＨｚとされており、１ビットで高音質を実現するものである。ＤＶＤ−Ａ、ＳＡＣＤでは、前左（ＦＬ；Front Left），前右（ＦＲ；Front Right），後左（ＳＬ；Surround Left），後右（ＳＲ；Surround Light），中央（Ｃ；Center），低音専用（ＳＷ；Subwoofer）の６チャンネルのオーディオデータが記録されている。なお、この６チャンネルは、ＳＷチャンネルを０．１チャンネルと見なして５．１チャンネルと呼ばれることがある。
【０００３】
このマルチチャンネルオーディオデータを再生可能な再生装置は、図２に示すように、デジタル信号処理部１０１と、６つのＤ／Ａコンバータ１０２〜１０７と、６つのローパスフィルタ１０８〜１１３と、６つのアンプリファイア（以下、アンプと称する。）１１４〜１１９と、６つのスピーカ１２０〜１２５とを備える。
【０００４】
この再生装置１００では、先ず、図示しない光ピックアップから読み出されたオーディオ信号が、デジタル信号処理部１０１へ供給される。次に、デジタル信号処理部１０１では供給されたオーディオ信号のデコードが行われ、デコードされたＦＬ，ＦＲ，ＳＬ，ＳＲ，Ｃ，ＳＷのオーディオ信号が、それぞれ６つのＤ／Ａコンバータ１０２〜１０７へ供給される。この６つのＤ／Ａコンバータ１０２〜１０７において、供給されたデジタルオーディオ信号がアナログオーディオ信号へ変換される。アナログオーディオ信号へ変換された各オーディオ信号は、それぞれローパスフィルタ１０８〜１１３へ供給される。ローパスフィルタ１０８〜１１３では、各オーディオ信号からノイズが除去される。ノイズが除去された各オーディオ信号は、それぞれアンプ１１４〜１１９によって増幅された後に、スピーカ１２０〜１２５へ供給される。
【０００５】
【発明が解決しようとする課題】
ところで、この再生装置１００によって、例えばＣＤに記録されているオーディオデータなど、２チャンネルのオーディオデータを再生するときには、再生装置１００におけるオーディオ信号の流れは以下に示す通りとなる。
【０００６】
先ず、図示しない光ピックアップから供給されたオーディオ信号が、デジタル信号処理部１０１へ供給される。次に、デジタル信号処理部１０１では、供給されたオーディオ信号のデコードが行われ、デコードされた２チャンネルのオーディオ信号が、例えば２つのＤ／Ａコンバータ１０２，１０３へ供給される。そして、Ｄ／Ａコンバータ１０２，１０３から供給されたオーディオ信号は、それぞれ２つのローパスフィルタ１０８，１０９を通過した後に、それぞれアンプ１１４，１１５によって増幅され、最後に、スピーカ１２０，１２１へ供給される。
【０００７】
したがって、この再生装置１００によって２チャンネルのオーディオ信号を再生するときには、６つのＤ／Ａコンバータ１０２〜１０７のうちの２つが使用されているものの、他の４つは使用されていない。
【０００８】
本発明はこのような従来の実情を鑑みて提案されたものであり、備えられている全てのデジタルアナログ変換手段を有効に利用して、再生装置の再生性能を向上させることができるデジタルアナログ変換システムを提供することを目的とする。
【０００９】
【課題を解決するための手段】
本発明に係るデジタルアナログ変換システムは、少なくとも６個のチャンネルを含むオーディオ信号を再生可能な再生装置に搭載され、外部から入力されたデジタルオーディオ信号をアナログオーディオ信号に変換して出力するデジタルアナログ変換システムであって、上記再生装置で、オーディオ信号が再生されるチャンネル及びチャンネル数のうち少なくとも一方を検知し、検知した結果に基づいて、入力されたデジタルオーディオ信号の供給先を指定するための供給制御信号を生成する供給制御信号生成手段と、チャンネル毎に設けられ、供給されたデジタルオーディオ信号をアナログオーディオ信号に変換する、少なくとも６個のデジタルアナログ変換手段と、上記供給制御信号生成手段によって検知された再生されるオーディオ信号のチャンネル数が上記デジタルアナログ変換手段の総数よりも少ない場合に、デジタルオーディオ信号の供給先であるオーディオ信号が再生されるチャンネルに設けられたデジタルアナログ変換手段と、上記各デジタルアナログ変換手段のうち、デジタルオーディオ信号の供給先ではないチャンネルに設けられた全てのデジタルアナログ変換手段の中から選択されたデジタルアナログ変換手段とに入力されたデジタルオーディオ信号を供給して、オーディオ信号の再生されるチャンネルに設けられたデジタルアナログ変換手段と、デジタルオーディオ信号の供給先ではないチャンネルに設けられた全てのデジタルアナログ変換手段の中から選択されたデジタルアナログ変換手段とを並列動作させる制御手段とを備えることを特徴とする。
【００１１】
【発明の実施の形態】
以下、本発明を適用したデジタルアナログ変換システムについて、図１を参照しながら詳細に説明する。
【００１２】
本実施の形態では、本発明を適用したデジタルアナログ変換システム（以下、Ｄ／Ａ変換システム）を、前左（ＦＬ；Front Left），前右（ＦＲ；Front Right），後左（ＳＬ；Surround Left），後右（ＳＲ；Surround Light），中央（Ｃ；Center），低音専用（ＳＷ；Subwoofer）の６チャンネルのマルチチャンネルオーディオ信号を再生することが可能な再生装置に搭載した例について説明する。なお、この６チャンネルは、ＳＷチャンネルを０．１チャンネルと見なして５．１チャンネルと呼ばれることがある。
【００１３】
図１に示すように、再生装置１は、信号処理部２と、Ｄ／Ａ変換システム３と、６つのローパスフィルタ４〜９と、６つのアンプリファイア（以下、アンプと称する。）１０〜１５と、６つのスピーカ１６〜２１とを備える。
【００１４】
なお、この６つのスピーカ１６〜２１は、ＦＬ用スピーカ１６、ＦＲ用スピーカ１７、ＳＬ用スピーカ１８、ＳＲ用スピーカ１９、Ｃ用スピーカ２０、及びＳＷ用スピーカ２１を示す。また、図中に示すように、本実施の形態では、ローパスフィルタ４及びアンプ１０がＦＬ用スピーカ１６と接続しており、ローパスフィルタ５及びアンプ１１がＦＲ用スピーカ１７と接続している。また、ローパスフィルタ６及びアンプ１２がＳＬ用スピーカ１８と接続しており、ローパスフィルタ７及びアンプ１３がＳＲ用スピーカ１９と接続している。さらに、ローパスフィルタ８及びアンプ１４がＣ用スピーカ２０と接続しており、ローパスフィルタ９及びアンプ１５がＳＷ用スピーカ２１と接続している。
【００１５】
信号処理部２は、例えば図示しない光ピックアップなどから供給されたデジタルオーディオ信号をデコードする。すなわち、信号処理部２は、供給されたオーディオ信号を各チャンネル毎のオーディオ信号に分離し、分離したオーディオ信号に対して再生セパレーションの調整や、残響の付加などの処理を施す。
【００１６】
Ｄ／Ａ変換システム３は、信号処理部２から供給された各デジタルオーディオ信号をアナログオーディオ信号に変換し、６つのローパスフィルタ４〜９へ供給する。なお、このＤ／Ａ変換システム３については、詳細を後述する。
【００１７】
６つのローパスフィルタ４〜９は、Ｄ／Ａ変換システム３から供給されたオーディオ信号の高調波成分をそれぞれ除去して、６つのアンプ１０〜１５へ供給する。
【００１８】
６つのアンプ１０〜１５は、各ローパスフィルタ４〜９から供給されたオーディオ信号を増幅して、ＦＬ用スピーカ１６、ＦＲ用スピーカ１７、ＳＬ用スピーカ１８、ＳＲ用スピーカ１９、Ｃ用スピーカ２０、及びＳＷ用スピーカ２１に対して供給する。
【００１９】
６つのスピーカ１６〜２１は、各アンプ１０〜１５から供給されたオーディオ信号を放音する。具体的に説明すると、ＦＬ用スピーカ１６はＦＬチャンネルのオーディオ信号を放音し、ＦＲ用スピーカ１７はＦＲチャンネルのオーディオ信号を放音する。また、ＳＬ用スピーカ１８はＳＬチャンネルのオーディオ信号を放音し、ＳＲ用スピーカ１９はＳＲチャンネルのオーディオ信号を放音する。さらに、Ｃ用スピーカ２０はＣチャンネルのオーディオ信号を放音し、ＳＷ用スピーカ２１はＳＷチャンネルのオーディオ信号を放音する。
【００２０】
なお、本実施の形態では、２チャンネルのオーディオ信号が再生されるときには、ＦＬ用スピーカ１６、及びＦＲ用スピーカ１７から放音される。
【００２１】
以下では、本発明を適用したＤ／Ａ変換システム３について詳細に説明する。
【００２２】
Ｄ／Ａ変換システム３は、信号供給部３１と、６つのＤ／Ａコンバータ３２〜３７と、信号出力合成部３８と、マイクロコンピュータ（以下、マイコンと称する。）３９とを備えている。
【００２３】
信号供給部３１では、先ず、信号処理部２からオーディオ信号が供給される。次に、信号供給部３１は、マイコン３９からの供給制御信号に従って、オーディオ信号を、例えば以下の表１に示すように各Ｄ／Ａコンバータ３２〜３７へ供給する。
【００２４】
【表１】
0004686925.tif 000002
すなわち、信号供給部３１は、再生されるオーディオ信号の数が６チャンネル未満のときに、オーディオ信号が再生されないチャンネルに設けられたＤ／Ａコンバータに対して、他のＤ／Ａコンバータへ供給したオーディオ信号と同一のオーディオ信号を供給し、１つのオーディオ信号に対して複数のＤ／Ａコンバータを並列動作させる。
【００２５】
６つのＤ／Ａコンバータ３２〜３７は、信号供給部３１から供給されたデジタルオーディオ信号を、アナログオーディオ信号に変換する。これらのＤ／Ａコンバータ３２〜３７は、変換したアナログオーディオ信号を信号出力合成部３８へ供給する。本実施の形態では、６つのＤ／Ａコンバータ３２〜３７は、１チップ上に形成されている。なお、Ｄ／Ａコンバータ３２はＦＬチャンネルに備えられ、Ｄ／Ａコンバータ３３はＦＲチャンネルに備えられる。また、Ｄ／Ａコンバータ３４はＳＬチャンネルに備えられ、Ｄ／Ａコンバータ３５はＳＲチャンネルに備えられる。さらに、Ｄ／Ａコンバータ３６はＣチャンネルに備えられ、Ｄ／Ａコンバータ３７はＳＷチャンネルに備えられる。
【００２６】
信号出力合成部３８は、マイコン３９から供給される出力制御信号に従って、６つのＤ／Ａコンバータ３２〜３７から供給されたオーディオ信号のうち、信号供給部３１によって同一のオーディオ信号が供給されたＤ／Ａコンバータから供給されたオーディオ信号を選択し、互いに加算する。そして、信号出力合成部３８は、加算したオーディオ信号を、マイコン３９からの供給制御信号に従って、ローパスフィルタ４〜９のうちのいずれかへ供給する。また、加算しなかったオーディオ信号を、同じチャンネルに設けられたローパスフィルタへ出力する。
【００２７】
マイコン３９は、先ず、最終的に再生されるオーディオ信号のチャンネルやチャンネル数を認識する。そして、マイコン３９は、認識した結果に基づいて、信号供給部３１に対して、各Ｄ／Ａコンバータ３２〜３７へどのオーディオ信号を供給するかを指示するための供給制御信号を供給する。また、マイコン３９は、認識した結果に基づいて、信号出力合成部３８に対して、各Ｄ／Ａコンバータ３２〜３７から供給されたオーディオ信号のうち、どのオーディオ信号を選択して加算するかを指示するための出力制御信号を供給する。
【００２８】
なお、マイコン３９によって、再生装置１において最終的に再生されるオーディオ信号のチャンネルやチャンネル数を認識する具体的な方法としては、以下に示す第１乃至第４の方法が挙げられる。
【００２９】
第１の方法は、マイコン３９が記録媒体のフォーマットを認識することによって、再生装置１において最終的に再生されるオーディオ信号のチャンネルやチャンネル数を認識する方法である。例えば、光ディスクを再生するときには、最初に、光ピックアップがＴＯＣ（Table Of Contents）エリアに記録された信号を読み出すが、マイコン３９は、ＴＯＣエリアに記録された信号から、最終的に再生されるオーディオ信号のチャンネルやチャンネル数を認識することができる。
【００３０】
第２の方法は、マイコン３９が、再生する記録媒体を選択する入力セレクタの選択状態をモニタすることによって、再生装置１において最終的に再生されるオーディオ信号のチャンネルやチャンネル数を認識する方法である。例えば、入力セレクタによってＣＤが選択されているときには、マイコン３９は、実際に再生されるオーディオ信号のチャンネルがＦＲ，ＦＬの２チャンネルであると認識する。また、例えば、入力セレクタによってＤＶＤ−Ａが選択されているときには、マイコン３９は、最終的に再生されるオーディオ信号がＦＲ，ＦＬ，ＳＲ，ＳＬ，Ｃ，ＳＷの６チャンネルであると認識する。
【００３１】
第３の方法は、マイコン３９が、実際に出力するオーディオ信号のチャンネル数をモニタすることによって、再生装置１において最終的に再生されるオーディオ信号のチャンネルやチャンネル数を認識する方法である。例えば、６チャンネルのオーディオ信号が記録されているＤＶＤ−Ａを再生したときにも、再生チャンネルとしてＦＲ，ＦＬ，Ｃの３チャンネルしか選ばないことがある。再生チャンネルとしてＦＲ，ＦＬ，Ｃの３チャンネルしか選ばないときには、マイコン３９は、再生されるオーディオ信号がＦＲ，ＦＬ，Ｃの３チャンネルであると認識する。
【００３２】
第４の方法は、マイコン３９が、実際に接続されているスピーカの数をモニタすることによって、再生装置１において最終的に再生されるオーディオ信号のチャンネルやチャンネル数を認識する方法である。例えば、再生装置１に、ＦＬ用スピーカ１６、ＦＲ用スピーカ１７、ＳＬ用スピーカ１８、ＳＲ用スピーカ１９の４つのスピーカが接続されており、Ｃ用スピーカ２０、ＳＷ用スピーカ２１が接続されていないときには、マイコン３９は、再生されるオーディオ信号がＦＲ，ＦＬ，ＳＲ，ＳＬの４チャンネルであると認識する。
【００３３】
以上説明したように、本発明を適用したＤ／Ａ変換システム３では、再生されるオーディオ信号の数が６チャンネル未満のときに、信号供給部３１が、オーディオ信号が再生されないチャンネルに設けられたＤ／Ａコンバータに対して、他のＤ／Ａコンバータへ供給したオーディオ信号と同一のオーディオ信号を供給する。そして、信号出力合成部３８が、信号供給部３１によって同一のオーディオ信号が供給されたＤ／Ａコンバータから供給された信号を選択し、選択したオーディオ信号を加算する。
【００３４】
したがって、本発明を適用したＤ／Ａ変換システム３において、信号出力合成部３８によって加算されたオーディオ信号は、信号出力合成部３８が加算する前のオーディオ信号と比較して、Ｓ／Ｎ比が向上する。
【００３５】
例えば、表１中Ｂでは、再生されるオーディオ信号はＦＬ，ＦＲ，Ｃの３チャンネルであり、１つのオーディオ信号に対して２つのＤ／Ａコンバータを並列動作させている。したがって、再生される各オーディオ信号は、シグナルが６ｄＢ上昇するのに対して、ノイズが３ｄＢ上昇することとなる。
【００３６】
また、表１中Ｃでは、再生されるオーディオ信号はＦＬ，ＦＲ，ＳＬ，ＳＲの４チャンネルであり、ＦＬ，ＦＲのオーディオ信号に対して２つのＤ／Ａコンバータを並列動作させている。したがって、ＦＬ，ＦＲのオーディオ信号では、シグナルが６ｄＢ上昇するのに対して、ノイズが３ｄＢ上昇することとなる。
【００３７】
さらにまた、表１中Ａでは、再生されるオーディオ信号はＦＬ，ＦＲの２チャンネルであり、１つのオーディオ信号に対して３つのＤ／Ａコンバータを並列動作させている。したがって、再生される各オーディオ信号は、シグナルが９ｄＢ上昇するのに対して、ノイズが４．５ｄＢ上昇することとなる。
【００３８】
したがって、本発明を適用したデジタル変換システム３を搭載した再生装置１は、再生されるオーディオ信号のＳ／Ｎ比を向上させることが可能となり、より微細な音響表現を行うことが可能となる。
【００３９】
ここで、再生装置１内部におけるオーディオ信号の流れについて、具体例を挙げて説明する。
【００４０】
まず、左（Ｌ），右（Ｒ）の２チャンネルのオーディオ信号が記録されているＣＤを再生装置１によって再生したときを例に挙げて、Ｄ／Ａ変換システム３内部におけるオーディオ信号の流れについて説明する。
【００４１】
ＣＤが再生されると、先ず、信号処理部２へ、Ｌ，Ｒのオーディオ信号が供給される。
【００４２】
このとき、マイコン３９は、再生されるオーディオ信号のチャンネルがＦＲ及びＦＬの２チャンネルであることを認識し、供給制御信号と出力制御信号とを生成する。
【００４３】
そして、マイコン３９は、信号供給部３１に対して供給制御信号を供給し、例えば、Ｄ／Ａコンバータ３２，３４，３６にはＬのオーディオ信号を供給し、Ｄ／Ａコンバータ３３，３５，３７にはＲのオーディオ信号を供給するように指示する。すなわち、マイコン３９は、信号供給部３１に対して、６つのＤ／Ａコンバータ３２〜３７のうち３つにはＬのオーディオ信号を供給し、残りの３つにはＲのオーディオ信号を供給するように指示する。
【００４４】
次に、信号供給部３１が、マイコン３９から供給された供給制御信号に従って、Ｄ／Ａコンバータ３２，３４，３６にＬのオーディオ信号を供給し、Ｄ／Ａコンバータ３３，３５，３７にＲのオーディオ信号を供給する。すなわち、信号供給部３１は、Ｌ，Ｒの各オーディオ信号に対して、Ｄ／Ａコンバータを３つずつ並列動作させる。
【００４５】
次に、６つのＤ／Ａコンバータ３２〜３７が、供給された各デジタルオーディオ信号をアナログオーディオ信号へ変換する。
【００４６】
次に、マイコン３９から供給された出力制御信号に従って、信号出力合成部３８が、Ｄ／Ａコンバータ３２，３４，３６から供給されたオーディオ信号を選択して加算し、ローパスフィルタ４へ供給するとともに、Ｄ／Ａコンバータ３３，３５，３７から供給されたオーディオ信号を選択して加算し、ローパスフィルタ５へ供給する。
【００４７】
最後に、ローパスフィルタ４へ供給されたオーディオ信号は、アンプ１０によって増幅され、ＦＬ用スピーカ１６から放音される。また、ローパスフィルタ５へ供給されたオーディオ信号は、アンプ１１へ増幅され、ＦＲ用スピーカ１７から放音される。
【００４８】
つぎに、再生装置１に、ＦＬ用スピーカ１６、ＦＲ用スピーカ１７、ＳＬ用スピーカ１８、ＳＲ用スピーカ１９の４つのスピーカが接続しており、Ｃ用スピーカ２０、ＳＷ用スピーカ２１が接続していない状態で、６チャンネルのオーディオ信号が記録されているＤＶＤ−Ａを再生したときを例に挙げて、Ｄ／Ａ変換システム３内部におけるオーディオ信号の流れについて説明する。
【００４９】
ＤＶＤ−Ａが再生されると、先ず、信号処理部２へ、ＦＬ，ＦＲ，ＳＬ，ＳＲ，Ｃ，ＳＷのオーディオ信号が供給される。
【００５０】
このとき、マイコン３９は、再生されるオーディオ信号のチャンネルがＦＲ、ＦＬ、ＳＬ、及びＳＲの４チャンネルであることを認識し、供給制御信号と出力制御信号とを生成する。
【００５１】
そして、マイコン３９は、信号供給部３１に対して供給制御信号を供給する。マイコン３９は、信号供給部３１に対して供給制御信号を供給することで、例えば、Ｄ／Ａコンバータ３２，３６にはＦＬのオーディオ信号を供給し、Ｄ／Ａコンバータ３３，３７にはＦＲのオーディオ信号を供給し、Ｄ／Ａコンバータ３４にはＳＬのオーディオ信号を供給し、Ｄ／Ａコンバータ３５にはＳＲのオーディオ信号を供給するように指示する。すなわち、マイコン３９は、信号供給部３１に対して、６つのＤ／Ａコンバータ３２〜３７のうち、２つにはＦＬのオーディオ信号を供給し、別の２つにはＦＲのオーディオ信号を供給し、さらに別の１つにはＳＬのオーディオ信号を供給し、さらに別の１つにはＳＲのオーディオ信号を供給するように指示する。
【００５２】
次に、信号供給部３１が、マイコン３９から供給された供給制御信号に従って、Ｄ／Ａコンバータ３２，３６にはＦＬのオーディオ信号を供給し、Ｄ／Ａコンバータ３３，３７にはＦＲのオーディオ信号を供給し、Ｄ／Ａコンバータ３４にはＳＬのオーディオ信号を供給し、Ｄ／Ａコンバータ３５にはＳＲのオーディオ信号を供給する。すなわち、信号供給部３１は、ＦＬ，ＦＲの各オーディオ信号に対しては、Ｄ／Ａコンバータを２つ並列動作させ、ＳＬ，ＳＲの各オーディオ信号に対しては、Ｄ／Ａコンバータを１つ動作させる。
【００５３】
次に、６つのＤ／Ａコンバータ３２〜３７が、供給された各デジタルオーディオ信号をアナログオーディオ信号へ変換する。
【００５４】
次に、信号出力合成部３８が、マイコン３９から供給された出力制御信号に従って、Ｄ／Ａコンバータ３２，３６から供給された信号を選択して加算し、ローパスフィルタ４へ供給するとともに、Ｄ／Ａコンバータ３３，３７から供給されたオーディオ信号を選択して加算し、ローパスフィルタ５へ供給する。また、信号出力合成部３８は、Ｄ／Ａコンバータ３４から供給されたオーディオ信号をそのままローパスフィルタ６へ供給し、Ｄ／Ａコンバータ３５から供給されたオーディオ信号をそのままローパスフィルタ７へ供給する。
【００５５】
最後に、ローパスフィルタ４へ供給されたオーディオ信号は、アンプ１０によって増幅され、ＦＬ用スピーカ１６から放音される。また、ローパスフィルタ５へ供給されたオーディオ信号は、アンプ１１によって増幅され、ＦＲスピーカ１７から放音される。さらに、ローパスフィルタ６へ供給されたオーディオ信号は、アンプ１２によって増幅され、ＳＬスピーカ１８から放音される。さらにまた、ローパスフィルタ７へ供給されたオーディオ信号は、アンプ１３によって増幅され、ＳＲスピーカ１９から放音される。
【００５６】
なお、本発明を適用したＤ／Ａ変換システムは、例えばＤ／Ａコンバータの数を増加させることなどによって、メインに再生されるＦＲのオーディオ信号及びＦＬのオーディオ信号に対して、常に複数のＤ／Ａコンバータが並列動作する構成とされることが好ましい。また、本発明を適用したＤ／Ａ変換システムは、ＦＲのオーディオ信号及びＦＬのオーディオ信号に加えて、Ｃのオーディオ信号に対しても、常に複数のＤ／Ａコンバータが並列動作する構成とされることがさらに好ましい。
【００５７】
また、本実施の形態では、信号出力合成部３８が、信号選択部３１によって同一のオーディオ信号が供給されたＤ／Ａコンバータから供給されたオーディオ信号を選択し、選択したオーディオ信号を加算しているが、同一のオーディオ信号が供給されたＤ／Ａコンバータの数が偶数である場合には、信号出力選択部は、このうちの半数のＤ／Ａコンバータから供給されたオーディオ信号を反転させて、反転させないオーディオ信号との差をとっても良い。反転させないオーディオ信号と反転させたオーディオ信号との差をとるときには、オーディオ信号の同相ノイズをキャンセルする効果を得ることも可能となる。
【００５８】
また、本実施の形態では、６つのＤ／Ａコンバータ３２〜３７を備えるＤ／Ａ変換システム３について説明したが、Ｄ／Ａ変換システムに備えられるＤ／Ａコンバータの数は、８つとしても良い。Ｄ／Ａコンバータの数を８つとしたＤ／Ａ変換システムは、例えば、前左（ＦＬ），前右（ＦＲ），後左（ＳＬ），後右（ＳＲ），前中央（Ｃ），低音専用（ＳＷ）以外に後中央（ＳＣ）チャンネルを有するいわゆる６．１チャンネルのマルチチャンネルオーディオ信号を再生可能な再生装置に対応したものとなる。当該Ｄ／Ａ変換システムにおいては、信号供給部は、オーディオ信号を、例えば以下の表２に示すように各Ｄ／Ａコンバータへ供給する。
【００５９】
【表２】
0004686925.tif 000003
【００６０】
【発明の効果】
本発明に係るデジタルアナログ変換システムでは、再生されるオーディオ信号の数が再生装置に設けられたチャンネルの数よりも少ないときに、オーディオ信号が再生されないチャンネルに設けられたデジタルアナログ変換手段に対して、信号供給手段が、他のデジタルアナログ変換手段へ供給したオーディオ信号と同一のオーディオ信号を供給する。そして、選択手段が、信号供給手段によって同一のオーディオ信号が供給されたデジタルアナログ変換手段から供給されたオーディオ信号を選択し、合成手段が選択したオーディオ信号を合成する。
【００６１】
したがって、本発明に係るデジタルアナログ変換システムにおいて合成手段が合成したオーディオ信号は、合成手段が合成する前のオーディオ信号と比較してＳ／Ｎ比が向上する。また、本発明に係るデジタルアナログ変換システムを搭載することによって、再生装置は、より微細な音響表現を行うことが可能となる。
【図面の簡単な説明】
【図１】本発明を適用したデジタルアナログ変換手段を搭載した再生装置を示すブロック図である。
【図２】従来の再生装置を示すブロック図である。
【符号の説明】
１  再生装置、２  信号処理部、３  Ｄ／Ａ変換システム、４〜９  ローパスフィルタ、１０〜１５  アンプリファイア、１６  ＦＬ用スピーカ、１７  ＦＲ用スピーカ、１８  ＳＬ用スピーカ、１９  ＳＲ用スピーカ、２０  Ｃ用スピーカ、２１  ＳＷ用スピーカ、３１  信号供給部、３２〜３７  Ｄ／Ａ変換器、３８  信号出力合成部、３９  マイコン
【図１】
0004686925.tif 000004
【図２】
0004686925.tif 000005